(57)【要約】【課題】容器の上下方向および側面方向のどの方向に対しても優れた耐衝撃性を備えた中皿トレーと、保護シートとが一体的に形成された化粧料容器を提供する。【解決手段】中皿２５と、上記中皿２５を収容するための凹状部３１を有する中皿トレー２６と、上記中皿トレー２６の凹状部３１を収容するための凹部２７を有する容器本体２０と、上記容器本体２０の上面を蓋する蓋体２１とを備え、上記中皿トレー２６の凹状部３１が、底壁５０と、側壁３５ａ、３５ｂとで構成され、上記凹状部３１の片端縁から連結部３３を介して、保護シート３２が一体的に形成されており、上記中皿２５が、中皿トレー２６の凹状部３１を介して容器本体２０の凹部２７内に、凹部底面と凹部側面から隙間を保った状態で収容されている。【選択図】図１
2014108320.tif 000002
【特許請求の範囲】
【請求項１】
化粧料充填用の凹部を有する中皿と、上記中皿を収容するための凹状部を有する中皿トレーと、上記中皿トレーの凹状部を収容するための凹部を有する容器本体と、上記容器本体の上面を蓋する蓋体とを備えた化粧料容器であって、
上記中皿トレーの凹状部が、底壁と、この底壁の周縁に設けられる環状の側壁もしくは周方向に配置される複数の側壁とで構成され、上記凹状部の片端縁から連結部を介して、上記凹状部に収容された中皿上面を覆うための保護シートが一体的に形成されており、
上記凹状部の底壁は、容器本体の凹部底面との間に衝撃吸収用の隙間を形成するための凹凸面で形成され、上記凹状部の側壁は、容器本体の凹部側面との間に衝撃吸収用の隙間を形成するための、断面下向き略コ字状の中空壁で形成されており、
上記容器本体の中皿トレー収容用の凹部は、上記中皿トレーの凹状部を、その内側に完全に入り込ませることができる深さに設定され、かつその凹部内に、上記中皿トレーの凹状部を抜け止めするための係止手段が形成されており、
上記中皿が、中皿トレーの凹状部を介して容器本体の中皿トレー収容用凹部内に、凹部底面と凹部側面から隙間を保った状態で収容され、その状態で、上記中皿トレーの連結部を屈曲させることにより、中皿トレーの凹状部から延びる保護シートが中皿上面を覆うようになっていることを特徴とする化粧料容器。
【請求項２】
上記中皿の平面視形状が矩形であり、上記中皿トレー凹状部の側壁が、上記中皿の四隅の角部に当接する四つの平面視略Ｌ字状の側壁である請求項１記載の化粧料容器。
【請求項３】
上記容器本体と蓋体とが、互いにその奥端部においてヒンジ連結されており、上記中皿トレー凹状部から延びる保護シートが、その連結部の屈曲を伸ばすことにより、中皿上面から手前側に１８０度開くことができるようになっている請求項１または２記載の化粧料容器。
【請求項４】
上記保護シートに、中皿に充填された化粧料に関する説明表示がなされている請求項１〜３のいずれか一項に記載の化粧料容器。
【請求項５】
上記中皿トレーが、厚み０．１〜１．５ｍｍの樹脂製シートを真空成形することにより賦形されたものである請求項１〜４のいずれか一項に記載の化粧料容器。
【発明の詳細な説明】
【技術分野】
【０００１】
本発明は、コンパクトケース等の化粧料容器に関するものである。
【背景技術】
【０００２】
従来、アイシャドウやファンデーション等の粉末状の固形化粧料を充填した中皿を収容
して携帯する化粧料容器として、化粧料が充填された中皿と、上面に上記中皿を収容する
ための凹部が形成された容器本体と、この容器本体の上面を蓋する蓋体とからなるコンパ
クトケース等が汎用されている。そして、このような化粧料容器の多くは、携帯の便を考
慮して、蓋体の内側面に鏡が取り付けられているとともに、中皿収容用の凹部とは別に、
化粧ブラシや化粧チップ、パフ等の化粧小物を収容する小物用凹部が設けられている。
【０００３】
しかしながら、上記化粧料容器は、蓋体を閉じると、鏡の表面が化粧料や化粧小物とご
く接近した配置となるため、中皿に充填された化粧料の表面や化粧小物が剥き出しのまま
では、中皿内で浮き上がった化粧料や化粧小物に付着した化粧料が鏡を汚染しやすいとい
う問題がある。また、鏡の有無に関わらず、中皿や化粧小物が並ぶ容器本体の上面や蓋体
の内側の面が化粧料で汚れやすく、見栄えが悪いとともに衛生的でない。
【０００４】
そこで、最近は、容器本体の上面に透明な保護シートを載置して、化粧料の飛散を防ぎ
、容器内を清浄に保つことを配慮したものが多く出回っている。
【０００５】
また、単に保護シートを載置するだけでは、保護シートが落下しやすく、使いにくいこ
とから、図９に示すように、保護シート１の一部を、中皿２を収容する凹部３内に折り込
んで、使用時には保護シート１を横に開くようにしたものが提案されている（後記の特許
文献１を参照）。なお、図において、４は容器本体、５は化粧料充填部、６は小物収容用
の凹部、７は蓋体、８は鏡である。
【０００６】
ところで、このような化粧料容器は、誤って床に落としたり、携帯時に外部から強い衝
撃を受けたりすると、その衝撃によって中皿２内の化粧料がひび割れたり損傷したりする
ため、容器本体４と固形化粧料を収容する中皿２との間に、種々の緩衝機構（衝撃緩和あ
るいは衝撃吸収手段）を設けたものが多数提案されており、そのなかには、上記保護シー
ト１の落下防止を兼ねるものもいくつかある。
【０００７】
例えば、下記の特許文献２には、図１０に示すように、中皿２の上面を保護する保護シ
ート１と、中皿２と容器本体４との間に敷き込む狭接シート９とを連結して、保護シート
１の落下防止と、中皿２への衝撃吸収とを同時に果たすようにしたものが開示されている
（図９の構成と同様の部分は同一符号を付してその説明を省略、以下の図１１も同じ）。
【０００８】
また、下記の特許文献３には、図１１（ａ）に示すように、中皿２を収容して中皿２へ
の衝撃を緩衝するよう構成された中皿保護容器１０と、中皿２の表面を覆う保護シート１
とを一体的に形成した技術が開示されている。すなわち、図１１（ｂ）に示すように、こ
の中皿保護容器１０の底面には、下向きの突出部１１が設けられており、中皿２を容器本
体４の凹部３の底面から浮かせた状態で収容保持することができるため、中皿２に対し衝
撃緩衝作用を果たすのである。なお、１２は、容器本体４の凹部３との係止用凸部である
。
【先行技術文献】
【特許文献】
【０００９】
【特許文献１】特開２００５−２３０４５２号公報
【特許文献２】特許第４３２３１９６号公報
【特許文献３】特開２００７−１７５３４０号公報
【発明の概要】
【発明が解決しようとする課題】
【００１０】
しかしながら、上記特許文献２のものは、透明で薄いプラスチックシートを打ち抜いて
全体形状を付与した後、中皿２の下に敷き込む部分に発泡シート等の衝撃吸収材料を貼付
して狭接シート９とするため、製造に手間を要するという問題がある。また、全体を衝撃
吸収材料で一体的に形成してもよいとの記載があるが、保護シート１として用いる部分が
、厚みのある衝撃吸収材料で形成されていると、この部分が嵩高くなって取り扱いにくい
という問題がある。
【００１１】
また、上記特許文献３のものは、全体が一体成形で得られるため、製造効率はよいが、
中皿２を容器本体４の凹部３の底面から浮かせるだけでは、耐衝撃性（耐落下衝撃性能）
が不充分であり、化粧品メーカー等が要望する高いレベルに応えるものではない。特に、
従来の化粧料容器は、横向きの落下（容器側面を下にした落下）に対して弱い傾向がみら
れるため、その耐衝撃性の改善が強く望まれている。
【００１２】
本発明は、このような事情に鑑みなされたもので、容器の上下方向および側面方向のど
の方向に対しても優れた耐衝撃性を備えた中皿トレーと、保護シートとが一体的に形成さ
れた化粧料容器の提供をその目的とする。
【課題を解決するための手段】
【００１３】
上記の目的を達成するため、本発明は、化粧料充填用の凹部を有する中皿と、上記中皿
を収容するための凹状部を有する中皿トレーと、上記中皿トレーの凹状部を収容するため
の凹部を有する容器本体と、上記容器本体の上面を蓋する蓋体とを備えた化粧料容器であ
って、上記中皿トレーの凹状部が、底壁と、この底壁の周縁に設けられる環状の側壁もし
くは周方向に配置される複数の側壁とで構成され、上記凹状部の片端縁から連結部を介し
て、上記凹状部に収容された中皿上面を覆うための保護シートが一体的に形成されており
、上記凹状部の底壁は、容器本体の凹部底面との間に衝撃吸収用の隙間を形成するための
凹凸面で形成され、上記凹状部の側壁は、容器本体の凹部側面との間に衝撃吸収用の隙間
を形成するための、断面下向き略コ字状の中空壁で形成されており、上記容器本体の中皿
トレー収容用の凹部は、上記中皿トレーの凹状部を、その内側に完全に入り込ませること
ができる深さに設定され、かつその凹部内に、上記中皿トレーの凹状部を抜け止めするた
めの係止手段が形成されており、上記中皿が、中皿トレーの凹状部を介して容器本体の中
皿トレー収容用凹部内に、凹部底面と凹部側面から隙間を保った状態で収容され、その状
態で、上記中皿トレーの連結部を屈曲させることにより、中皿トレーの凹状部から延びる
保護シートが中皿上面を覆うようになっている化粧料容器を第１の要旨とする。
【００１４】
また、本発明は、そのなかでも、特に、上記中皿の平面視形状が矩形であり、上記中皿
トレー凹状部の側壁が、上記中皿の四隅の角部に当接する四つの平面視略Ｌ字状の側壁で
ある化粧料容器を第２の要旨とし、それらのなかでも、特に、上記容器本体と蓋体とが、
互いにその奥端部においてヒンジ連結されており、上記中皿トレー凹状部から延びる保護
シートが、その連結部の屈曲を伸ばすことにより、中皿上面から手前側に１８０度開くこ
とができるようになっている化粧料容器を第３の要旨とする。
【００１５】
さらに、本発明は、それらのなかでも、特に、上記保護シートに、中皿に充填された化
粧料に関する説明表示がなされている化粧料容器を第４の要旨とし、それらのなかでも、
特に、上記中皿トレーが、厚み０．１〜１．５ｍｍの樹脂製シートを真空成形することに
より賦形されたものである化粧料容器を第５の要旨とする。
【発明の効果】
【００１６】
すなわち、本発明の化粧料容器は、容器本体と中皿との間に介在させる中皿トレーとし
て、中皿を収容するための凹状部と保護シートとが一体的に形成された特殊な中皿トレー
を用いるようにしたものである。この中皿トレーの凹状部は、その底壁が、容器本体の凹
部底面との間に隙間を形成するための凹凸面で形成され、その側壁が、同じく容器本体の
凹部側面との間に隙間を形成するための、断面下向き略コ字状（コ字状の角部がＲになっ
たＵ字状や角部が１つ少ないＶ字状等を含む）の中空壁によって形成されているため、こ
の中皿トレーの凹状部に、化粧料が充填された中皿を収容して容器本体の凹部内に収容す
ると、上記中皿が、容器本体の凹部内の底面からも側面からも隙間のあいた状態で保持さ
れることになる。したがって、この化粧料容器によれば、容器本体の上下方向や側面方向
から強い衝撃や揺れ等を受けても、その衝撃や揺れが、中皿の周囲および底部に設けられ
た隙間部において大幅に緩和・吸収されるのであり、中皿に充填された化粧料を、ひび割
れや損傷から守ることができる。
【００１７】
しかも、上記中皿トレーには、中皿を収容する凹状部の片端縁から連結部を介して、上
記中皿上面を覆うための保護シートが一体的に形成されており、別に保護シートを用意す
る必要がないため、全体の構成が簡単で、使い勝手にも優れているという利点を有する。
【００１８】
また、本発明の化粧料容器のなかでも、特に、上記中皿の平面視形状が矩形であり、上
記中皿トレー凹状部の側壁が、上記中皿の四隅の角部に当接する四つの平面視略Ｌ字状の
側壁であるものは、上記中皿の四隅が、中皿の四隅に沿ってＬ字状に屈曲した、断面下向
き略コ字状の中空壁である側壁によって、安定的に保持されているため、とりわけ、角部
への衝撃に対して優れた衝撃緩衝性能を発揮し、中皿内の化粧料がダメージを受けにくい
という利点を有する。そして、中皿の四隅以外の部分では、上記平面視略Ｌ字状の中空壁
が途切れているため、凹状部の底壁の自由度が確保されており、どのような方向から衝撃
を受けても、底壁が撓むことによって、その衝撃をある程度緩和・吸収することができ、
より一層衝撃吸収性に優れている。
【００１９】
そして、本発明の化粧料容器のなかでも、特に、上記容器本体と蓋体とが、互いにその
奥端部においてヒンジ連結されており、上記中皿トレー凹状部から延びる保護シートが、
その連結部の屈曲を伸ばすことにより、中皿上面から手前側に１８０度開くことができる
ようになっているものは、保護シートを開きやすく、取り扱いやすい。しかも、中皿トレ
ーにおいて、中皿を収容した凹状部から延びる連結部と保護シートの屈曲部が、容器本体
と蓋体のヒンジ連結部の反対側に配置されるため、比較的自由度の小さい容器奥側に比べ
て自由度の大きい容器手前側において、中皿を、上記中皿トレーの屈曲部で守る形になり
、より耐衝撃性に優れたものとなる。
【００２０】
さらに、本発明の化粧料容器のなかでも、特に、上記保護シートに、中皿に充填された
化粧料に関する説明表示がなされているものは、中皿上面を覆っていた保護シートを開き
、そこに記載された化粧料に関する説明表示と、中皿に充填された実際の化粧料とを対比
しながら、化粧を行うことができるため、容器裏面や容器の包装箱等に表示された説明を
いちいち見直す必要がなく、便利である。
【００２１】
また、本発明の化粧料容器のなかでも、特に、上記中皿トレーが、厚み０．１〜１．５
ｍｍの樹脂製シートを真空成形することにより賦形されたものである場合には、中皿トレ
ーを効率よく低コストで製造することができる。そして、得られる中皿トレーが、弾性に
優れたものとなるため、衝撃や揺れ等を吸収して、これらが中皿へ伝達されるのを効果的
に防ぐことができる。
【図面の簡単な説明】
【００２２】
【図１】本発明の化粧料容器の一実施の形態を示す外観斜視図である。
【図２】（ａ）は上記実施の形態に用いられる中皿トレーの平面図、（ｂ）はそのＡ−Ａ′断面図である。
【図３】上記化粧料容器において、容器本体に中皿トレーを収容した状態を示す平面図である。
【図４】（ａ）は図３のＢ−Ｂ′断面図、（ｂ）は図３のＣ−Ｃ′断面図である。
【図５】（ａ）は上記中皿トレーの変形例の平面図、（ｂ）はそのＤ−Ｄ′断面図である。
【図６】（ａ）は図５のＥ−Ｅ′断面図であって、これを収容する容器本体の断面も併せて示したもの、（ｂ）は図５のＦ−Ｆ′断面図であって、これを収容する容器本体の断面も併せて示したものである。
【図７】（ａ）、（ｂ）は、ともに上記中皿トレーの他の変形例を示す平面図である。
【図８】本発明に用いられる中皿トレーのさらに他の変形例を示す説明図である。
【図９】従来の、保護シートを用いた化粧料容器の一例を示す説明図である。
【図１０】従来の、衝撃吸収構造を備えた化粧料容器の一例を示す説明図である。
【図１１】（ａ）、（ｂ）はともに従来の、衝撃吸収構造を備えた化粧料容器の他の例を示す説明図である。
【発明を実施するための形態】
【００２３】
つぎに、本発明の実施の形態を、図面にもとづいて詳しく説明する。
【００２４】
図１は、本発明の化粧料容器の一実施の形態を示している。この化粧料容器は、容器本
体２０と、容器本体２０の上面を蓋する蓋体２１とを備えたコンパクトケースタイプの化
粧料容器であって、上記蓋体２１の内側面には、鏡２２が取り付けられている。また、上
記蓋体２１の前端部中央にはフック２３が設けられており、容器本体２０の前端部に設け
られたフックピース２４の切欠き部２４ａ内に入り込んで容器本体２０と係合し、上記フ
ックピース２４を奥側に押し込むことによって、その係合が外れるようになっている。
【００２５】
そして、上記容器本体２０の上面には、その中央に、中皿２５を、後述する中皿トレー
２６を介して収容するための凹部２７が設けられ、その左右両側に、化粧ブラシ用凹部２
８と、化粧チップ用凹部２９とが設けられている。なお、中央の凹部２７と左右両側の凹
部２８、２９とは、仕切り壁を有することなく一続きの凹部として形成されている（図３
参照）。
【００２６】
上記中央の凹部２７内に、中皿トレー２６を介して収容される中皿２５は、平面視略正
方形状で、その上面に設けられた四個の凹部３０内に、色の異なる４種類の粉末状固形化
粧料（この例では、白色のハイライトと、３種類のアイカラーとの組み合わせ）が充填さ
れている。
【００２７】
また、上記中皿２５と容器本体２０の凹部２７との間に配置される中皿トレー２６は、
中皿２５を収容するための凹状部３１と、この凹状部３１の前端縁から手前側に延設され
、容器奥側に折り返される保護シート３２とを備えており、この保護シート３２によって
、容器内が化粧料によって汚染されないようになっている。
【００２８】
上記中皿トレー２６をより詳しく説明するために、これを容器本体２０から取り出して
保護シート３２を手前に平たく開いた状態を図２（ａ）に示す。また、そのＡ−Ａ′断面
図を図２（ｂ）に示す。
【００２９】
すなわち、この中皿トレー２６は、中皿２５を収容するための、平面視略正方形状の凹
状部３１と、平面視横長の略長方形状の保護シート３２の間に、両者を連結するための連
結部３３を有し、これらが、１枚の透明樹脂シート（例えば厚み０．１〜１．５ｍｍ）を
真空成形することにより、一体的に形成されている。
【００３０】
上記中皿トレー２６の凹状部３１は、その内側に中皿２５を収容保持することができる
ように、底壁５０と、中皿２５の四隅に当接しうる平面視略Ｌ字状の、四個の側壁３５ａ
、３５ｂとを有している〔この部分を、図２（ａ）において格子領域Ｐで示す〕。ただし
、手前側の側壁３５ａの方が、奥側の側壁３５ｂに比べて、Ｌ字状の横辺部の厚みが前後
に厚くなっており、Ｌ字状の頂角部分４０が、それぞれ内側に９０°だけ凹んだ形状にな
っている。また、手前側の側壁３５ａと奥側の側壁３５ｂとの間に、中皿２５の左右の側
面に沿ってそれぞれ延びるガイド壁３６、３７が、上記角部の四個の側壁３５ａ、３５ｂ
よりも１段低い高さで設けられている〔この部分を、図２（ａ）において幅の狭い斜線領
域Ｑで示す〕。
【００３１】
これらの側壁３５ａ、３５ｂとその間に延びるガイド壁３６、３７は、図２（ｂ）に示
すように、その断面が下向き略コ字状の中空壁で形成されている。そして、上記凹状部３
１の、奥側の左右の側壁３５ｂの間の帯状部分４１と、手前側の左右の側壁３５ａの間で
あって連結部３３を残した左右の正方形部分４２とが、打ち抜き加工により切り欠かれて
いる。また、上記凹状部３１と保護シート３２の境界部４３〔図２（ａ）において××で
示す〕も、上記打ち抜き加工時に切断処理されている。
【００３２】
一方、上記凹状部３１の底壁５０は、図２（ａ）に示すように、その中央部とこれを環
状に囲う帯状部分とが上向きに突出して、凹凸面に形成されている。この突出部を、図２
（ａ）において幅の広い斜線領域Ｒで示す。
【００３３】
このように構成された中皿トレー２６を、容器本体２０の凹部２７内に収容した状態の
平面図を図３に示す。また、図３のＢ−Ｂ′断面図を図４（ａ）に示し、同じく図３のＣ
−Ｃ′断面図を図４（ｂ）に示す。これらの図に示すように、容器本体２０の凹部２７に
は、上記中皿トレー２６を抜け止めするための係止手段として、その手前側の内周面に、
上記中皿トレー２６の側壁３５ａの前端部と係合する溝部５５が形成されており、同じく
その奥側の内周面に、上記中皿トレー２６の側壁３５ｂの奥端部と係合する溝部５６が形
成されている。
【００３４】
したがって、上記中皿トレー２６を容器本体２０の凹部２７内に収容するには、まず、
上記中皿トレー２６の凹状部３１に中皿２５を収容し（図１参照）、凹状部３１の前端縁
から延びる連結部３３を垂直に起立させ、さらに、この連結部３３から延びる保護シート
３２を奥側に折り返すことにより、中皿２５の上面を保護シート３２で覆う。なお、上記
中皿トレー２６の凹状部３１に中皿２５を収容する際、図４に示すように、凹状部３１の
底壁５０の上面中央に、弾力性を有するホットメルト等の粘着剤層６０を形成し、その粘
着力によって中皿２５を凹状部３１内に固定することが行われる。
【００３５】
この状態で、上記中皿トレー２６の手前に突出する左右の側壁３５ａを、容器本体２０
の凹部２７内の、手前側の左右の溝部５５（図３、図４参照）内に嵌入し、ついで奥側の
左右の側壁３５ｂを、同じく凹部２７内の奥側の左右の溝部５６に嵌入する。これにより
、上記中皿トレー２６を、凹部２７内に収容することができる。
【００３６】
上記の構造によれば、中皿トレー２６が、中皿２５に対する衝撃吸収機能と、保護シー
トによる保護機能とを兼ね備えているため、緩衝吸収機能を備えたトレイと別に保護シー
トを重ねる必要がなく、構成が簡単である。しかも、中皿トレー２６の底壁５０と保護シ
ート３２との間に挟持した状態で取り扱うことができるため、中皿２５を新品に交換する
場合等においても、中皿トレー２６ごと交換すれば、交換作業が簡単で、中皿２５内に残
留する化粧料の脱落等によって周囲を汚すこともない。
【００３７】
そして、上記中皿トレー２６の凹状部３１の底壁５０が凹凸面で形成され、その側壁３
５ａ、３５ｂおよびガイド壁３６、３７が断面下向き略コ字状の中空壁によって形成されているため、この中皿トレー２６の凹状部３１内に中皿２５を収容して容器本体２０の凹部２７内に嵌入すると、上記中皿２５が、容器本体２０の凹部２７内の底面からも側面からも隙間のあいた状態で保持されることになる。したがって、容器の上下方向や側面方向から強い衝撃や揺れを受けても、その衝撃や揺れが、それらの隙間部において大幅に緩和・吸収されるのであり、中皿に充填された化粧料を、ひび割れや損傷から守ることができる。
【００３８】
特に、上記化粧料容器は、中皿２５の平面視形状が略正方形であり、上記中皿トレー２
６の凹状部３１において、上記中皿２５が、環状の側壁ではなく、上記中皿２５の四隅の
角部に当接する四つの平面視略Ｌ字状の側壁３５ａ、３５ｂで保持されているため、とり
わけ、角部への衝撃に対して優れた衝撃緩衝性能を発揮し、中皿２５内の化粧料がダメージを受けにくいという利点を有する。そして、中皿２５の四隅以外の部分では、上記平面視略Ｌ字状の側壁３５ａ、３５ｂが途切れ、前後の側壁同士（左側の側壁３５ａと３５ｂ同士、右側の側壁３５ａと３５ｂ同士）の間に、それぞれ一段低いガイド壁３６、３７が設けられているため、凹状部３１の底壁５０がある程度自由に撓むようになっており、どのような方向から衝撃を受けても、底壁５０が撓むことによって、その衝撃をある程度緩和・吸収することができる。したがって、より一層衝撃吸収性に優れている。
【００３９】
さらに、上記の例では、中皿トレー２６の底壁５０において、その中央部に弾力性を有
する粘着剤層６０が形成されているため、容器本体２０の下方向から衝撃を受けた場合で
も、この衝撃が、中皿トレー２６の撓みと粘着剤層６０の弾性で、より緩和・吸収される
ようになっている。
【００４０】
なお、本発明において、上記中皿トレー２６を構成する樹脂としては、ポリプロピレン
（ＰＰ），ポリエチレン（ＰＥ），ポリエチレンテレフタレート（ＰＥＴ），ポリスチレ
ン（ＰＳ），ポリ乳酸（ＰＬＡ）等を使用することが可能で、なかでも、ＰＥＴが好適に
用いられる。この中皿トレー２６の厚みは、上記樹脂の種類にも依存するが、トレーとし
て成形（賦形）後に、一般的には０．１〜１．５ｍｍ程度、好ましくは０．２〜１．０ｍ
ｍになるように形成される。なお、真空成形品であるため、必ずしもトレーの全ての部位
が、同じ厚みでなくても差し支えない。しかしながら、衝撃の吸収性に直接関与する、上
記底壁５０の突出部Ｒと、側壁３５ａ、３５ｂおよびガイド壁３６、３７とは、この厚みの範囲であることが望ましい。
【００４１】
また、上記の例では、中皿２５と中皿トレー２６の底壁５０とを、粘着剤層６０により
接着して固定したが、上記粘着剤層６０は必ずしも必要ではなく、中皿トレー２６の底壁
５０と保護シート３２との間に、中皿２５を挟むだけにしても差し支えない。
【００４２】
さらに、中皿トレー２６の形状は、上記の例に限らず、凹状部３１と連結部３３と保護
シート３２とを備え、上記凹状部３１の底壁５０が凹凸面で形成され、凹状部３１の側壁
が、環状壁であるか、周方向に配置される複数の側壁であって、断面下向きコ字状の中空
壁で形成されていれば、他の構成は、どのように設定されていてもよい。
【００４３】
ただし、上記凹状部３１における底壁５０の凹凸面は、中皿２５と中皿トレー２６、中
皿トレー２６と容器本体２０との間に、衝撃吸収効果を奏するよう充分な隙間を形成する
ものであることが重要であり、その凹凸による高低差Ｓ〔図４（ａ）参照〕を、０．３〜
２ｍｍに設定することが好適である。
【００４４】
また、同様の考え方から、上記凹状部３１における側壁３５ａ等における中空壁の高さＴは１〜７ｍｍ、幅Ｗは０．５〜５ｍｍに設定することが好適である〔図２（ｂ）を参照〕。そして、上記の例のように、中皿２５が矩形であり、その角部に平面視略Ｌ字形状の側壁３５ａ、３５ｂを設け、その間に一段低い高さのガイド壁３６、３７を設ける場合、一段低いガイド壁３６、３７の高さは、角部の側壁３５ａ、３５ｂの高さを１とすると、０．２〜０．８に設定することが、底壁５０の自由度を確保する上で好適である。
【００４５】
図５（ａ）は、本発明に用いられる中皿トレーの他の例の平面図を示し、図５（ｂ）は
、そのＤ−Ｄ′断面図である。この中皿トレー２６′は、中皿２５の四隅に当接する四つ
の平面視略Ｌ字状の側壁３５ａ、３５ｂが、図２に示すものに比べて、前後方向に長く延
びており、前後の側壁３５ａ、３５ｂの間にガイド壁３６、３７はなく、完全に両者の間
が途切れた構造になっている。また、図２の中皿トレー２６では、凹状部３１と保護シー
ト３２とを連結する連結部３３が一つであったのに対し、この中皿トレー２６′では、上
記連結部３３が２本、左右に設けられている。それ以外は、図２の中皿トレー２６と同様
であり、同一部分に同一符号を付して、その説明を省略する。
【００４６】
この中皿トレー２６′を用いた化粧料容器も、上記の例と同様の効果を奏するが、中皿
トレー２６′の凹状部３１内に中皿２５を収容した状態で、これを容器本体２０の凹部２
７内に嵌入する際、上記左右の連結部３３を、図５（ａ）において鎖線で示す折り目にし
たがって屈曲させ、この部分を手前に突出させて、容器本体２０の凹部２７の溝部５５に
入り込ませる構成となるため、図２の中皿トレー２６に比べて組立にやや手間を要する。
したがって、図２に示す中皿トレー２６の方がより好適である。
【００４７】
なお、参考までに、図５のＥ−Ｅ′断面図であって、これを収容する容器本体２０の断
面も併せて示したものを図６（ａ）に示し、図５のＦ−Ｆ′断面図であって、これを収容
する容器本体２０の断面も併せて示したものを図６（ｂ）に示す。
【００４８】
また、図２に示す中皿トレー２６も、図５に示す中皿トレー２６′も、凹状部３１の前
端縁から連結部３３を手前に延設して保護シート３２を設けているが、保護シート３２の
配置は、必ずしも手前側である必要はなく、例えば図７（ａ）に示すように、保護シート
３２を側方（この例では左側）に配置させたり、図７（ｂ）に示すように、奥側に配置さ
せてもよい。
【００４９】
ただし、図７（ａ）に示すように、保護シート３２を側方に設ける場合であって、中皿
２５の隣に、図１に示すように化粧ブラシ等の収容用凹部２８が設けられている場合は、
この凹部２８の内周面に連結部３３を折り込んで、邪魔にならないようにすることが必要
である。また、図７（ｂ）に示すように、保護シート３２を奥側に設ける場合は、蓋体２
１（図１参照）の内側に鏡２２が設けられていない構造の化粧料容器に適用することが望
ましい。
【００５０】
ただし、中皿トレー２６、２６′において、中皿２５を収容した凹状部３１から延びる
連結部３３と保護シート３２の屈曲部が、図２や図５に示すように、容器本体２０と蓋体
２１のヒンジ連結部（図１参照）の反対側に配置されるものは、比較的自由度の小さい容
器奥側に比べて自由度の大きい容器手前側において、中皿２５を、上記中皿トレー２６、
２６′の屈曲部で守る形になり、より耐衝撃性に優れたものとなる。
【００５１】
そして、上記保護シート３２には、例えば図８に示すように、この保護シート３２が保
護する中皿２５内に充填されている化粧料に関する説明表示をつけることができる。この
例では、保護シート３２を容器本体２０の上面に重ねた状態で、その下の中皿２５の化粧
料と同一となる配置で、それぞれの化粧料を簡単に説明する化粧料説明部７０が設けられ
ている。また、その化粧料説明部７０の中央に、目と眉のイラスト７１が表示されており
、どの化粧料をどの部分に塗るべきかが一目でわかるようになっている。さらに、上記化
粧料説明部７０の向かって左側には、容器本体２０の左側に収容される化粧ブラシのイラ
スト７２が表示され、同じくその右側には、容器本体２０の右側に収容される化粧チップ
のイラスト７３が表示されている。そして、上記化粧ブラシと化粧チップのどの部分がど
の化粧料用であるかが一目でわかるようになっている。
【００５２】
したがって、上記表示付きの保護シート３２が設けられた中皿トレー２６を用いれば、
化粧の際、保護シート３２を手前等に開き、そこに記載された化粧料に関する説明表示と
、中皿２５に充填された実際の化粧料とを対比しながら、化粧を行うことができるため、
化粧に不慣れな者であっても、容器裏面や容器の包装箱等に表示された説明をいちいち見
直す必要がなく、スムーズに化粧することができ、便利である。
【実施例】
【００５３】
つぎに、本発明の実施例について、比較例と併せて説明する。ただし、本発明は、以下
の実施例に限定されるものではない。
【００５４】
〔実施例１〕
本発明の一実施の形態として図２に示す形状の中皿トレーの凹状部内に、粘着剤層を介
して粉末化粧料が充填された中皿を収容した。そして、この中皿を、中皿トレーごと容器
本体の凹部に収容してコンパクトケース（図１参照）を準備した。なお、化粧料は、目の
メイクアップに用いるハイライトと３種類のアイカラーである。
【００５５】
〔実施例２〕
中皿トレーを、本発明の他の実施の形態として図５に示す形状のものに変えた。それ以
外は、実施例１と同様にしてコンパクトケースを準備した。
【００５６】
〔比較例１〕
中皿トレーを用いず、中皿を、容器本体の凹部に直接収容した。ただし、容器本体の凹
部内と中皿との間に粘着剤層を設けた。
【００５７】
これらの実施例品と比較例品を、ポリ塩化ビニル（ＰＶＣ）板の上に、下記の条件で落
下させることを繰り返し、中皿に充填された化粧料に「割れ」が生じるまでの落下回数を
計測した。なお、落下回数は、一試料につき最大１００回までとした。その結果を、後記
の表１に示す。
【００５８】
〔落下条件〕
（１）水平落下試験
落下形態：容器底面を下にして水平状態のまま落下
落下距離：４０ｃｍ
（２）側面落下試験（縦方向）
落下形態：容器側面の縦辺部を下にしてそのまま落下
落下距離：２０ｃｍ
（３）側面落下試験（横方向）
落下形態：容器側面の横辺部を下にしてそのまま落下
落下距離：２０ｃｍ
【００５９】
【表１】
2014108320.tif 000003
【００６０】
上記の結果から、実施例品はいずれも、どの向きで落下しても、比較例品に比べて、耐
久性が高く、耐衝撃性に優れていることがわかる。
【産業上の利用可能性】
【００６１】
本発明の化粧料容器は、アイシャドウ，ファンデーション，チーク等の固形化粧料を充
填した中皿を内部に収容するコンパクトケース等の化粧料容器に適する。
【符号の説明】
【００６２】
２０  容器本体
２１  蓋体
２５  中皿
２６  中皿トレー
２７  凹部
３１  凹状部
３２  保護シート
３３  連結部
３５ａ、３５ｂ  側壁
【図１】
2014108320.tif 000004
【図２】
2014108320.tif 000005
【図３】
2014108320.tif 000006
【図４】
2014108320.tif 000007
【図５】
2014108320.tif 000008
【図６】
2014108320.tif 000009
【図７】
2014108320.tif 000010
【図８】
2014108320.tif 000011
【図９】
2014108320.tif 000012
【図１０】
2014108320.tif 000013
【図１１】
2014108320.tif 000014